(57)【要約】【課題】既存の設備を流用することで導入にかかる費用を抑えつつ、実際の利用状況を推定可能に構成され、当該推定結果に基づいて実際の利用状況に応じた最適な運転を実行可能なユーティリティ供給装置を提供する。【解決手段】警備ユニット３から、エリアＡ内の在室者の入退室に関する入退室情報ｉを受信するように構成され、入退室情報ｉに基づいて、履歴記憶手段１４の利用方法を変更する履歴記憶変更手段１０を備える。【選択図】図２
2015137770.tif 000002
【特許請求の範囲】
【請求項１】
人感センサを用い在室者を検知するための警戒モード、当該警戒モードが解除される非警戒モードの切り替えを可能に構成された警備ユニットが設けられた所定エリアに設置され、
当該エリアにおけるユーティリティ消費量の履歴情報を記憶する履歴記憶手段と、当該履歴情報に基づいてユーティリティ負荷を予測する負荷予測手段と、を備えるとともに、当該負荷予測手段によるユーティリティ負荷の予測に基づいて最適な運転を行うユーティリティ供給装置であって、
前記警備ユニットから、前記エリア内の在室者の利用状況に関する利用情報を受信するように構成され、
前記利用情報に基づいて、前記履歴記憶手段の利用方法を変更する履歴記憶変更手段を備えたユーティリティ供給装置。
【請求項２】
前記利用情報が、前記警備ユニットが警戒モードにセットされたか否かを含み、
前記履歴記憶変更手段として、
当該利用情報に基づいて、前記警備ユニットが警戒モードにセットされてから解除されるまでの期間が、所定期間以上である場と判断した場合には、当該セットされてから解除されるまでの期間におけるユーティリティ消費量を前記履歴記憶手段に記憶しないようにする記憶除外手段を備えた請求項１に記載のユーティリティ供給装置。
【請求項３】
前記利用情報が、前記人感センサの単位時間当たりの在室者の検知回数を含み、
前記履歴記憶手段が、ユーティリティ消費量の履歴情報を複数記憶できるように構成され、
前記履歴記憶変更手段として、
前記利用情報に含まれる前記検知回数に基づいて、ユーティリティ消費量を記憶するための履歴情報を前記履歴記憶手段に記憶された複数の履歴情報から選択する記憶用履歴情報選択手段を備えた請求項１又は２に記載のユーティリティ供給装置。
【請求項４】
前記履歴記憶手段が、ユーティリティ消費量の履歴情報として、来客時に用いるための来客用履歴情報を備え、
前記警備ユニットが、来客がある際に用いるための来客モードを備え、
前記利用情報が、前記警備ユニットが来客モードにセットされたか否かを含み、
前記履歴記憶変更手段として、
当該利用情報に基づいて、前記警備ユニットが来客モードにセットされていると判断した場合に、前記負荷予測手段が用いる前記履歴情報として前記来客用履歴情報を用いる予測用履歴情報選択手段を備える請求項１〜３の何れか一項に記載のユーティリティ供給装置。
【請求項５】
前記警備ユニットが、帰宅予定時刻を入力するための帰宅予定時刻入力手段を備え、
前記利用情報が、前記帰宅予定時刻入力手段に入力された帰宅予定時刻を含み、
前記利用情報に含まれる前記帰宅予定時刻に基づいて、前記負荷予測手段が予測したユーティリティ負荷の予測を修正する負荷予測修正手段を備えた請求項１〜４の何れか一項に記載のユーティリティ供給装置。
【発明の詳細な説明】
【技術分野】
【０００１】
本発明は、人感センサを用い在室者を検知するための警戒モード、当該警戒モードが解除される非警戒モードの切り替えを可能に構成された警備ユニットが設けられた所定エリアに設置され、
当該エリアにおけるユーティリティ消費量の履歴情報を記憶する履歴記憶手段と、当該履歴情報に基づいてユーティリティ負荷を予測する負荷予測手段と、を備えるとともに、当該負荷予測手段によるユーティリティ負荷の予測に基づいて最適な運転を行うユーティリティ供給装置に関する。
【背景技術】
【０００２】
熱や電気といったユーティリティを生成、供給するユーティリティ供給装置としては、例えば、燃料電池を利用したコージェネレーションシステムが知られている。このようなコージェネレーションシステムは、一般に、即座にユーティリティの供給量を変更できないという特性があるため、あらかじめ、ユーティリティの需要を予測し、当該予測に従って最適な運転を行うといった制御がなされている。
【０００３】
ここで、需要の予測方法としては、過去のユーティリティの消費量を蓄積しておき、蓄積したデータに基づいて予測する方法が一般的である。この予測方法では、例えば、使用者が旅行などにより不在中となる場合には、実際には給湯や暖房の使用予定がないにもかかわらず、過去の消費量に基づいて、コージェネレーションシステムにてユーティリティを生成してしまう場合がある。このため、特許文献１に示すコージェネレーションシステムにおいては、不在中となる場合には、使用者があらかじめ不在設定を行うことで、コージェネレーションシステムが不在中に不要な運転を行ってしまうことを防止するように構成されていた。
【先行技術文献】
【特許文献】
【０００４】
【特許文献１】特開２００４−２６３６２０号公報
【発明の概要】
【発明が解決しようとする課題】
【０００５】
しかしながら、上述の従来技術においては、不在設定を行うのはあくまでも使用者に任されるため、使用者が不在設定を忘れた場合には、非効率的な運転を行ってしまうという問題があった。また、例えば、来客などにより通常の利用状況とは異なるユーティリティ負荷が生じる場合においても、当該状況を把握する手段、及びそれに対応する運転の制御手段がないため、効率的な運転が難しいという問題があった。これらの問題は、コージェネレーションシステム側に家庭内の状況を感知する手段がないということに起因している。
【０００６】
そこで、本発明は上記問題点に鑑みてなされたものであり、既存の設備を流用することで導入にかかる費用を抑えつつ、実際の利用状況を推定可能に構成され、当該推定結果に基づいて実際の利用状況に応じた最適な運転を実行可能なユーティリティ供給装置を提供することを目的とする。
【課題を解決するための手段】
【０００７】
本発明に係るユーティリティ供給装置の特徴は、人感センサを用い在室者を検知するための警戒モード、当該警戒モードが解除される非警戒モードの切り替えを可能に構成された警備ユニットが設けられた所定エリアに設置され、
当該エリアにおけるユーティリティ消費量の履歴情報を記憶する履歴記憶手段と、当該履歴情報に基づいてユーティリティ負荷を予測する負荷予測手段と、を備えるとともに、当該負荷予測手段によるユーティリティ負荷の予測に基づいて最適な運転を行うユーティリティ供給装置であって、
前記警備ユニットから、前記エリア内の在室者の利用状況に関する利用情報を受信するように構成され、
前記利用情報に基づいて、前記履歴記憶手段の利用方法を変更する履歴記憶変更手段を備えた点にある。
【０００８】
上記特徴構成によれば、警備ユニットからの利用情報に基づいて、ユーティリティ供給装置が用いる履歴記憶手段の利用方法を変更することができる。警備ユニットは警戒モードにおいて人感センサを用いて、エリア内の在室者の入退室に係る情報を把握しているため、当該機能を用いることで、非警戒モードにおいてもエリア内の在室者の入退室に関する利用情報を取得することができる。よって、警備ユニットの機能を利用することで、新たに設備を導入することなく、ユーティリティ供給装置はエリア内の在室者に関する利用情報を得ることができるようになる。また、利用情報に基づいて、従来は単にユーティリティ消費量の履歴情報を記憶していた履歴記憶手段の利用方法を変更することができるため、利用情報から実際の利用状況を推定し、実際の利用状況に応じた最適な運転を実行することができる。すなわち、本願発明によれば、警備ユニットという既存の設備を流用することで導入にかかる費用を抑えつつ、実際の利用状況を推定可能に構成され、当該推定結果に基づいて実際の利用状況に応じた最適な運転を実行可能なユーティリティ供給装置を提供できる。
【０００９】
さらなる特徴は、前記利用情報が、前記警備ユニットが警戒モードにセットされたか否かを含み、
前記履歴記憶変更手段として、
当該利用情報に基づいて、前記警備ユニットが警戒モードにセットされてから解除されるまでの期間が、所定期間以上である場と判断した場合には、当該セットされてから解除されるまでの期間におけるユーティリティ消費量を前記履歴記憶手段に記憶しないようにする記憶除外手段を備えた点にある。
【００１０】
警備ユニットは、通常、エリア内に人がいない場合には警戒モードに設定されており、エリア内に在室者がいる場合には非警戒モードに設定されている。よって、警備ユニットの警戒モードが設定されてから、解除されるまでの間は、エリア内に在室者はいないと推定することができる。上記特徴構成によれば、ユーティリティ供給装置は、利用情報に基づいて、警備ユニットの警戒モードが設定されてから解除されるまでの間は、エリア内に在室者はいないと推定することができる。このため、履歴記憶手段には、その間のユーティリティ消費量を記憶しないことで、在室者がいる場合のユーティリティ消費量を記憶することができる。よって、不在時のユーティリティ消費量を記憶してしまい、ユーティリティ負荷の予測精度が低下することを抑えることができる。すなわち、従来のように、不在ボタンなどによって利用者が意識的に操作することなく、実際の利用状況を推定可能に構成され、当該推定結果に基づいて実際の利用状況に応じた最適な運転を実行可能なユーティリティ供給装置を提供できる。ここで、「利用情報」としては、対象とするエリアにおける在室者の入退室情報が代表的である。
【００１１】
また、別の特徴は、前記利用情報が、前記人感センサの単位時間当たりの在室者の検知回数を含み、
前記履歴記憶手段が、ユーティリティ消費量の履歴情報を複数記憶できるように構成され、
前記履歴記憶変更手段として、
前記利用情報に含まれる前記検知回数に基づいて、ユーティリティ消費量を記憶するための履歴情報を前記履歴記憶手段に記憶された複数の履歴情報から選択する記憶用履歴情報選択手段を備えた点にある。
【００１２】
上記特徴構成によれば、警備ユニットが備える人感センサを用いて、利用情報に含まれる検知回数に基づいて異なる履歴情報を履歴記憶手段に記憶させることができる。ここで、エリア内の在室者数の大小によって、ユーティリティの消費量は変化すると考えられる。よって、人感センサの単位時間当たりの在室者の検知回数から、在室者の多少を推定することで、実際の利用状況を推定できる。すなわち、上記特徴構成によれば、実際の利用状況に応じた履歴情報を記憶することが可能となる。具体的には、履歴記憶手段に在室者の大小に合わせて、例えば、不在の場合、在室の場合、来客により人が増えた場合、のように複数の履歴情報を記憶することで、エリア内の異なる利用状況に応じた履歴情報を記憶することが可能となる。以上のように、上記特徴構成によれば、警備ユニットという既存の設備を流用することで導入にかかる費用を抑えつつ、実際の利用状況を推定可能に構成され、当該推定結果に基づいて実際の利用状況に応じた最適な運転を実行可能なユーティリティ供給装置を提供できる。
【００１３】
さらに、別の特徴は、前記履歴記憶手段が、ユーティリティ消費量の履歴情報として、来客時に用いるための来客用履歴情報を備え、
前記警備ユニットが、来客がある際に用いるための来客モードを備え、
前記利用情報が、前記警備ユニットが来客モードにセットされたか否かを含み、
前記履歴記憶変更手段として、
当該利用情報に基づいて、前記警備ユニットが来客モードにセットされていると判断した場合に、前記負荷予測手段が用いる前記履歴情報として前記来客用履歴情報を用いる予測用履歴情報選択手段を備える点にある。
【００１４】
上記特徴構成によれば、履歴記憶手段は、通常時よりもユーティリティの負荷が増加すると考えられる来客時に合わせて、履歴情報をあらかじめ記憶する。さらに、警備ユニットが来客モードを備え、利用情報に来客モードがセットされたか否かを含ませておくことで、ユーティリティ供給装置に来客の有無を通知することができる。よって、ユーティリティ供給装置は、来客がある場合には、来客用履歴情報を利用して最適な運転を実行可能なユーティリティ供給装置を提供できる。
【００１５】
また、別の特徴は、前記警備ユニットが、帰宅予定時刻を入力するための帰宅予定時刻入力手段を備え、
前記利用情報が、前記帰宅予定時刻入力手段に入力された帰宅予定時刻を含み、
前記利用情報に含まれる前記帰宅予定時刻に基づいて、前記負荷予測手段が予測したユーティリティ負荷の予測を修正する負荷予測修正手段を備えた点にある。
【００１６】
上記特徴構成によれば、帰宅予定時刻に合わせてユーティリティ供給装置は、ユーティリティ負荷の予測を修正することができる。ここで、上記特徴構成によれば、警備ユニットに帰宅予定時刻を入力することができるため、例えば、警備ユニットの利用者が外出時に、警戒モードにセットする行動に合わせて、帰宅予定時刻を入力することができる。すなわち、帰宅予定時刻の入力を、利用者の生活導線に合わせて行えるように構成されているため、警備ユニットとは別に帰宅予定時刻を入力する場合に比べて、利用者への負担を抑えることができる。すなわち、警備ユニットという既存の設備を流用することで導入にかかる費用を抑えつつ、利用者への負担も抑えながら、実際の利用状況を推定可能に構成され、当該推定結果に基づいて実際の利用状況に応じた最適な運転を実行可能なユーティリティ供給装置を提供できる。
【図面の簡単な説明】
【００１７】
【図１】本願発明に係るユーティリティ供給装置の概要図
【図２】第１実施形態に係るユーティリティ供給装置の構成図
【図３】記憶除外手段の動作説明図
【図４】負荷予測修正手段の動作説明図
【図５】第２実施形態に係るユーティリティ供給装置の構成図
【図６】履歴記憶手段に記憶される履歴情報の一例
【発明を実施するための形態】
【００１８】
以下では本願発明に係るユーティリティ供給装置１を、図を用いて説明する。
〔ユーティリティ供給装置の概要〕
図１に示すように、本願発明に係るユーティリティ供給装置１は、警備ユニット３が設けられたエリアＡ内に合わせて設置される。ここで、警備ユニット３は、人感センサ４を用いてエリアＡ内の在室者を検知するための警戒モードと、人感センサ４を用いてエリアＡ内の在室者の検知を行わない非警戒モードとの切り替えを可能に構成される。具体的には、在室者が警備ユニット３に設けられたボタンを操作することで、警戒モードと非警戒モードとを切り替えられるように構成されている。ここで、図１に示す例においては、所定エリアＡを一般家庭としている。すなわち、警備ユニット３は、いわゆるホームセキュリティ装置である。
【００１９】
ユーティリティ供給装置１は、図２に示すように、エリアＡにおけるユーティリティ消費量の履歴情報を記憶する履歴記憶手段１４と、履歴記憶手段１４に記憶された履歴情報に基づいて将来のユーティリティ負荷を予測する負荷予測手段２２と、を備えるとともに、負荷予測手段２２による予測に基づいてユーティリティ生成手段２４の最適な運転を行うように構成される。ここで、「最適な運転」とは例えば、ユーティリティ生成手段２４が実行し得る運転のうち最もエコ運転となるような運転を意味する。
【００２０】
図１に示すように、ユーティリティ供給装置１としては、本実施形態においては、コージェネレーション装置を用いる。コージェネレーション装置は、家庭などの住宅に設置され、ユーティリティとして電力及び熱の少なくとも１つを、エリアＡ内に設けられた電気機器４２又は熱消費機器４３に供給する。ここで、コージェネレーション装置により発生した熱については、コージェネレーション装置に設けられた貯湯ユニットに温水の形態で蓄えられる。そして、蓄えられた温水は、熱消費機器としての給湯器や、床暖房、風呂場に設けられたミストサウナなどに対して供給される。
【００２１】
より具体的には、ユーティリティ供給装置１は、ユーティリティ生成手段２４としてコージェネレーション装置内に設けられた燃料電池によって、電力及び熱を発生させる。ここで、燃料電池には、都市ガスが供給される。なお、電力及び熱を発生させるユーティリティ生成手段２４としては、ガスエンジンを用いても構わない。
【００２２】
なお、本願発明におけるユーティリティ供給装置１としては、履歴記憶手段１４及び負荷予測手段２２を備えた装置、いわゆる学習機能付きの装置であればよく、例えば、ヒートポンプを用いて熱を供給する給湯器であっても構わない。
【００２３】
ユーティリティ供給装置１は、効率的に運転して省エネルギーを図るために、所定エリアＡでのユーティリティの需要に応じて、必要なユーティリティを供給するように構成されている。ここで、ユーティリティ生成手段２４として燃料電池やガスエンジンなどを備える場合には、発電電力量や熱量を、需要に応じて即座に変更することがその構造上難しい。
【００２４】
このため、ユーティリティ供給装置１は、図２に示すように、事前にユーティリティの負荷を予測し、当該予測に基づいて、省エネを実現できるような運転を行うように制御される。予測を行うために、ユーティリティ供給装置１は、エリアＡにおけるユーティリティの消費量を取得するためのユーティリティ消費量取得手段２１を備える。ユーティリティ消費量取得手段２１としては、ユーティリティ供給装置１内に設けられたユーティリティ消費量計測機器（電気メータやガスメータ）を用いることができる。なお、ユーティリティ消費量取得手段２１は、エリアＡ内に設けられたユーティリティ消費量計測機器から通信によって取得するように構成しても構わない。さらに、ユーティリティ消費量取得手段２１が取得したエリアＡにおけるユーティリティ消費量の履歴情報を記憶する履歴記憶手段１４を備える。そして、履歴記憶手段１４に記憶された履歴情報に基づいてユーティリティ負荷を予測する負荷予測手段２２を備える。ユーティリティ供給装置１は、負荷予測手段２２により予測したユーティリティ負荷に基づいて、ユーティリティ生成手段２４を最適に運転されるように制御される。
【００２５】
本願発明においては、ユーティリティ供給装置１は警備ユニット３と通信可能に構成されている。ユーティリティ供給装置１は、警備ユニット３から、エリアＡ内の在室者の入退室（利用状況の一例）に関する入退室情報ｉ（利用情報の一例）を受信するように構成されている。また、ユーティリティ供給装置１は、受信した入退室情報ｉに基づいて、履歴記憶手段１４の利用方法を変更する履歴記憶変更手段１０を備えている。ここで、「利用方法を変更する」とは、履歴記憶手段１４に記憶するユーティリティ消費量の値を変更することや、履歴記憶手段１４に記憶される履歴情報を複数とし、記憶・利用する履歴情報を適宜変更することなどを意味する。警備ユニット３がユーティリティ供給装置に対して送信する入退室情報ｉ及び履歴記憶変更手段１０については、後述する。
【００２６】
〔警備ユニットの構成〕
図１に示すように、警備ユニット３は、人感センサ４と接続され、当該人感センサ４の単位時間当たりの検知回数を取得できるように構成されている。本願発明に係る人感センサ４は、単位時間当たりの検出回数に基づいてエリアＡ内の在室者数を推測するために用いられる。本願発明に用いる人感センサ４としては、警備ユニット３が警戒モードにおいて、侵入者を検知するために備えているものと兼用すると良い。
【００２７】
人感センサ４に用いるセンサとしては、例えば、ドアの開閉検知センサや、パッシブセンサを用いると好適である。また、この人感センサ４は、人の出入りの多い部屋に設けられていると好適である。具体的には、例えば、リビングに設けられたセンサを用いると良い。
【００２８】
図２に示すように、警備ユニット３は、警戒モードと、警戒モードを解除した状態である非警戒モードとを、切り替えるための警戒モード設定手段３３を備える。具体的には、警備ユニット３の筐体に警戒モードセット用のボタンが設けられており、ユーザーがボタンを押すたびに、警戒モード・非警戒モードが切り替わるように構成されている。
【００２９】
また、本実施形態においては、警備ユニット３が、来客がある際に用いるための来客モードを備えている。具体的には、警備ユニット３には、当該警備ユニット３を来客モードに設定するためのボタンが設けられており、ユーザーがボタンを押すたびに、来客モードのセット・解除が切り替えられる。なお、本実施形態においては、警備ユニット３は、時刻入力用手段を備えており、来客モードセット時に、合わせて来客予定の時刻を設定することができるように構成されている。時刻入力用手段としては、例えば、０〜９のボタンと、入力キー、液晶ディスプレイから構成される。
【００３０】
さらに、本実施形態においても、警備ユニット３が、帰宅予定時刻ｔｒを入力するための帰宅予定時刻入力手段３４を備えている。具体的には、警備ユニット３には、帰宅予定時刻入力用のボタンが設けられ、当該ボタンを押した後、上記時刻入力用手段を用いて、帰宅予定時刻ｔｒを入力可能に構成されている。
【００３１】
〔入退室情報〕
警備ユニット３は、入退室情報出力手段３０を備えている。入退室情報出力手段３０は、在室人数取得手段３１、来客モード設定手段３２、警戒モード設定手段３３、及び帰宅予定時刻入力手段３４が取得した情報に基づいて、入退室情報ｉを生成し、ユーティリティ供給装置１に送信するように構成されている。
【００３２】
具体的には、入退室情報出力手段３０は、入退室情報ｉとして、警戒モード設定手段３３により警備ユニット３が警戒モードにセットされたか否か、人感センサ４の単位時間当たりの在室者の検知回数、来客モード設定手段３２により警備ユニット３が来客モードにセットされたか否か、及び帰宅予定時刻入力手段３４により入力された帰宅予定時刻のうち少なくとも１つを出力するように構成されている。本実施形態においては、入退室情報出力手段３０は、これらの情報を、対応する各手段が出力するたびに逐次送信するように構成されている。
【００３３】
〔第１実施形態〕
〔ユーティリティ供給装置の構成〕
本実施形態においては、ユーティリティ供給装置１は、履歴記憶手段１４に、ユーティリティ消費量取得手段２１により取得したユーティリティ消費量の履歴を記憶するように構成されている。履歴記憶手段１４には、各時刻のユーティリティ消費量が、例えば約１カ月分記憶される。また、履歴記憶手段１４の記憶する履歴情報には、負荷予測修正手段２３が、履歴記憶手段１４の履歴情報をユーティリティ負荷の予測に利用できるように、例えば、曜日ごとに１時間ごとの平均値を求めた情報が「学習データ」として含まれている。
【００３４】
〔履歴記憶変更手段〕
本実施形態においては、履歴記憶変更手段１０として、記憶除外手段１２を備えている。記憶除外手段１２は、入退室情報ｉに含まれる警戒モードがセットされているか解除されているかの情報に基づいて、警備ユニット３が警戒モードにセットされてから解除されるまでの期間が、所定期間Ｔ以上であると判断した場合には、セットされてから解除されるまでの期間におけるユーティリティ消費量を履歴記憶手段１４に記憶しないようにする。ここで、所定期間Ｔとしては、例えば１日に設定すると良い。
【００３５】
記憶除外手段１２の動作を、図３を用いて説明する。図３（ａ）は、履歴記憶手段１４に記憶されたユーティリティ消費量の履歴情報（学習データ）を示している。また、図３（ｂ）は、ユーティリティ消費量取得手段２１により取得された実際のユーティリティ消費量の推移を示している。また、図３（ｃ）は、実際の負荷と合わせて、警備ユニット３の警戒モードがセットされている（図中「ＯＮ」）か、解除されている（図中「ＯＦＦ」）かを示している。
【００３６】
記憶除外手段１２は、図３（ｃ）に示すように、警備ユニット３が警戒モードにセットされると、セットされたタイミングｔ０を記憶するとともに、警戒モードが解除された時に、解除されたタイミングｔ１を記憶する。そして、タイミングｔ０からタイミングｔ１までの期間Ｔｘが、あらかじめ設定された所定期間Ｔ以上か否かを調べる。
【００３７】
ここで、タイミングｔ０からタイミングｔ１までの期間Ｔｘが、図３（ｃ）に示すように、所定期間Ｔ以上であった場合には、タイミングｔ０からタイミングｔ１までの期間に履歴記憶手段１４に記憶されたユーティリティ消費量を削除する。すなわち、本実施形態においては、負荷予測手段２２が後日、履歴記憶手段１４に記憶されたユーティリティ消費量の履歴を、予測に用いる段階において、ｔ０からｔ１におけるユーティリティ消費量が履歴記憶手段１４に記憶されていないように構成されている。
【００３８】
なお、本願発明における記憶除外手段１２はこのような形態に限定されない。すなわち、例えば、警備ユニット３が警戒モードにセットされたことを検知したタイミングｔ０から警戒モードが解除されるタイミングｔ１までの間は、一旦、ユーティリティ消費量取得手段２１が取得したユーティリティ消費量を履歴記憶手段１４に記憶するのを保留し、期間Ｔｘが所定期間Ｔ未満であることを確認した場合に履歴記憶手段１４に記憶し、所定期間Ｔ以上であることを確認した場合には、履歴記憶手段１４に記憶しないように構成しても構わない。
【００３９】
また、本実施形態においては、ユーティリティ供給装置１は、入退室情報ｉに含まれる帰宅予定時刻ｔｒに基づいて、負荷予測手段２２が予測したユーティリティ負荷の予測を修正する負荷予測修正手段２３を備える。より具体的には、図４に示すように、ユーティリティ供給装置１が入退室情報ｉとして帰宅予定時刻ｔｒを受信した場合には、図４（ａ）に示すように履歴記憶手段１４に記憶されたユーティリティ消費量の履歴情報から帰宅推定時刻ｔｒ＿ｅを求め、入力された帰宅予定時刻ｔｒと比較する。帰宅予定時刻ｔｒが帰宅推定時刻ｔｒ＿ｅと異なる場合には、図４（ｂ）に示すように、履歴記憶手段１４の履歴情報に基づいて帰宅推定時刻ｔｒ＿ｅにおいて発生すると予測されている負荷が、帰宅予定時刻ｔｒにおいて発生するものとして、ユーティリティの負荷予測を修正する。すなわち、ユーティリティ供給装置１は、入力された帰宅予定時刻ｔｒにおいて、帰宅した際に発生する可能性の高いユーティリティの負荷量が発生すると予測して、最適な運転を行うように制御される。
【００４０】
図４を用いて具体的に負荷予測修正手段２３の動作を説明する。負荷予測修正手段２３は、帰宅予定時刻ｔｒを含む入退室情報ｉを受信すると、図４（ａ）に示すように、まず履歴記憶手段１４に記憶された履歴情報から、帰宅推定時刻ｔｒ＿ｅを推定する。より具体的には、帰宅予定時刻ｔｒより前においてユーティリティの消費量が急激に増える箇所を帰宅推定時刻ｔｒ＿ｅとする。
次に、図４（ｂ）に示すように、帰宅予定時刻ｔｒまでにユーティリティ消費量が増えている時刻があれば、当該時刻におけるユーティリティ消費量を最小限に変更する。そして、帰宅推定時刻ｔｒ＿ｅから所定期間分（図４ではバー６本分）のユーティリティの負荷が、帰宅予定時刻ｔｒから同所定期間において発生するものとする。
以上のようにして、ユーティリティの負荷を帰宅予定時刻ｔｒに合わせて修正することができる。なお、ユーティリティの負荷の予測の修正方法としては、実際に予測されるユーティリティの負荷の近似解を求める方法であれば良く、例えば、単に、帰宅予定時刻ｔｒまでのユーティリティの負荷を最小限に設定するだけでも構わない。
【００４１】
〔第２実施形態〕
次に、第１実施形態とは、異なる履歴記憶変更手段１０を備えたユーティリティ供給装置１について、図５及び６を用いて説明する。なお、第１実施形態と共通する構成については説明を省略する。
【００４２】
図５に示すように、本実施形態においては、履歴記憶手段１４が、ユーティリティ消費量の履歴情報を複数記憶できるように構成されている。ここで、履歴記憶手段１４が備える複数の履歴情報としては、それぞれエリアＡ内の在室者数に対応する履歴情報とすると良い。エリアＡ内の在室者数の増減は、ユーティリティ消費量の増減とおおむね相関関係にあると推定することができるため、在室者数に対応した複数の履歴情報を備えることで、より実際の利用状況に応じた履歴情報を履歴記憶手段１４に蓄積することができる。より具体的には、図６に示すように、履歴記憶手段１４は、ユーティリティ消費量の履歴情報として、不在時の場合に用いる不在用履歴情報ｐ１、在室の場合に用いる在室用履歴情報ｐ２、及び来客時に用いる来客用履歴情報ｐ３の３パターンを備えるように構成されている。
【００４３】
履歴記憶手段１４に記憶される履歴情報の具体例を図６に示す。図６（ａ）に示す不在用履歴情報ｐ１は、エリアＡ内に在室者がいないと推定される場合の学習データであり、この場合には、一日中、ユーティリティ消費量がほぼ０となる。具体的には、例えば、ユーティリティとして電気を考えた場合、電気機器４２の待機消費電力分だけが毎時消費される形となる。図６（ｂ）に示す在室用履歴情報ｐ２は、エリアＡ内に通常通り人が在室している場合の学習データであり、この場合には、例えば、図示するように、人がよく活動する朝方と夕方〜深夜にかけての時間帯にユーティリティ消費量が増える形となる。図６（ｃ）に示す来客用履歴情報ｐ３は、エリアＡ内に来客があるような場合の学習データであり、この場合には、例えば図示するように、在室用履歴情報ｐ２に比べて、来客準備のため昼頃からユーティリティ消費量が増え、来客中に負荷が大きくなるとともに、片付けのため深夜にかけてユーティリティ消費量が増える形となる。
【００４４】
以下では、本願発明の特徴構成である履歴記憶変更手段１０について説明する。本実施形態においては、ユーティリティ供給装置１は、履歴記憶変更手段１０として、記憶用履歴情報選択手段１１及び予測用履歴情報選択手段１３を備える。
【００４５】
〔記憶用履歴情報選択手段〕
ユーティリティ供給装置１は、ユーティリティ消費量取得手段２１により取得したユーティリティ消費量を履歴記憶手段１４に記憶するにあたり、履歴記憶変更手段１０である記憶用履歴情報選択手段１１による処理を仲介させる。
【００４６】
記憶用履歴情報選択手段１１は、入退室情報ｉに含まれる人感センサ４の検知回数に基づいて、履歴記憶手段１４から、ユーティリティ消費量取得手段２１が取得したユーティリティ消費量を記憶するためのユーティリティ消費量の履歴情報を選択するように構成されている。
【００４７】
本実施形態においては、記憶用履歴情報選択手段１１は、入退室情報ｉに含まれる単位時間当たりの検知回数が、２回／時未満の場合には不在用履歴情報ｐ１を、６０回／時未満の場合には在室用履歴情報ｐ２を、６０回／時以上の場合には来客用履歴情報ｐ３を、ユーティリティ消費量取得手段２１が取得したユーティリティ消費量の記憶対象として選択する。
【００４８】
このような構成とすることで、在室者数を推測し、在室者数に応じた異なる学習データを記憶することができる。
【００４９】
〔予測用履歴情報選択手段〕
また、本実施形態においては、履歴記憶変更手段１０として、入退室情報ｉに基づいて、負荷予測手段２２がユーティリティ負荷を予測する際に用いる履歴情報を、履歴記憶手段１４に記憶された複数の履歴情報の中から選択する予測用履歴情報選択手段１３を備える。具体的には、予測用履歴情報選択手段１３は、入退室情報ｉに基づいて、履歴記憶手段１４に記憶された３パターンの履歴情報のうち何れかを選択するように構成されている。
【００５０】
ここで、予測用履歴情報選択手段１３による履歴情報の選択方法としては、記憶用履歴情報選択手段１１と同様に、入退室情報ｉに含まれる単位時間当たりの検知回数が、２回／時未満の場合には不在用履歴情報ｐ１を、６０回／時未満の場合には在室用履歴情報ｐ２を、６０回／時以上の場合には来客用履歴情報ｐ３を選択するように構成することができる。
【００５１】
また、入退室情報ｉに基づいて、警備ユニット３が来客モードにセットされている間は、入退室情報ｉに含まれる検知回数による条件よりも優先して負荷予測手段２２が用いるユーティリティ負荷の予測として来客用履歴情報ｐ３を用いることができる。
【００５２】
このような構成とすることで、エリアＡ内の在室者数に応じて履歴情報を記憶するとともにユーティリティ負荷の予測において有効利用することができ、より高精度にユーティリティ負荷を予測することができる。
【００５３】
〔その他の実施形態〕
（１）上記実施形態においては、ユーティリティ供給装置１が、履歴記憶変更手段１０として記憶除外手段１２を備える構成を第１実施形態に、履歴記憶変更手段１０として記憶用履歴情報選択手段１１、及び予測用履歴情報選択手段１３を備える構成を第２実施形態において説明したが、本願発明はこれらの構成に限らない。すなわち、ユーティリティ供給装置１が、履歴記憶変更手段１０として、記憶用履歴情報選択手段１１、記憶除外手段１２、及び予測用履歴情報選択手段１３のすべてを備える構成としても構わない。
【００５４】
（２）上記実施形態においては、警備ユニット３が、来客モード設定手段３２を備える構成を例示したが、本願発明においては、警備ユニット３が来客モード設定手段３２を備えない構成としても構わない。
【００５５】
（３）上記実施形態においては、ユーティリティ供給装置１が、負荷予測修正手段２３を備える構成を例示したが、本願発明においては、ユーティリティ供給装置１が負荷予測修正手段２３を備えない構成としても構わない。この場合、警備ユニット３は、帰宅予定時刻入力手段３４を備えない構成とすると良い。
【産業上の利用可能性】
【００５６】
本発明は、人感センサを用い在室者を検知するための警戒モード、当該警戒モードが解除される非警戒モードの切り替えを可能に構成された警備ユニットが設けられた所定エリアに設置され、
当該エリアにおけるユーティリティ消費量の履歴情報を記憶する履歴記憶手段と、当該履歴情報に基づいてユーティリティ負荷を予測する負荷予測手段と、を備えるとともに、当該負荷予測手段によるユーティリティ負荷の予測に基づいて最適な運転を行うユーティリティ供給装置に適応可能である。
【符号の説明】
【００５７】
１        ：ユーティリティ供給装置
３        ：警備ユニット
４        ：人感センサ
１０      ：履歴記憶変更手段
１１      ：記憶用履歴情報選択手段
１２      ：記憶除外手段
１３      ：予測用履歴情報選択手段
１４      ：履歴記憶手段
２２      ：負荷予測手段
２３      ：負荷予測修正手段
３４      ：帰宅予定時刻入力手段
Ａ        ：エリア
Ｔ        ：所定期間
Ｔｘ      ：期間
ｉ        ：入退室情報（利用情報）
ｐ３      ：来客用履歴情報
ｔ０      ：タイミング
ｔ１      ：タイミング
ｔｒ      ：帰宅予定時刻
【図１】
2015137770.tif 000003
【図２】
2015137770.tif 000004
【図３】
2015137770.tif 000005
【図４】
2015137770.tif 000006
【図５】
2015137770.tif 000007
【図６】
2015137770.tif 000008